(57)【要約】【課題】  少ない操作で文字を修飾することができる情報処理装置および文字入力方法を提供することを目的とする。【解決手段】  本実施形態の携帯端末１００によれば、タッチパネルディスプレイを構成するタッチパネル１０９においてホバー入力により一の文字が受け付けられ、その後、タッチ入力により一の文字を修飾するための修飾指示が受け付けられると、ＣＰＵ１０１は、一の文字と修飾指示とに基づいた修飾文字を生成し、タッチパネルディスプレイを構成する表示部１０６は、生成された修飾文字を表示する。これにより、タッチ操作を複数回行うことなく、文字に対する修飾処理を行うことができる。【選択図】  図２
2014191782.tif 000002
【特許請求の範囲】
【請求項１】
入力指示部分がタッチ面に直接接触されることによるタッチ入力、および入力指示部分がタッチ面から所定間隔をあけたホバー入力空間に位置させることによるホバー入力を受付可能に構成されているタッチパネルディスプレイと、
前記タッチパネルディスプレイにおいて、ホバー入力により一の文字が受け付けられ、その後、タッチ入力により前記一の文字を修飾するための修飾指示が受け付けられることを検出すると、前記一の文字と前記修飾指示とに基づいた修飾文字を生成する文字生成手段と、を備え、
前記タッチパネルディスプレイは、前記文字生成手段により生成された修飾文字を表示することを特徴とする情報処理装置。
【請求項２】
前記タッチパネルディスプレイにおけるホバー入力により受け付けられた一の文字を、一時的に記憶する記憶手段をさらに備え、
前記文字生成手段は、前記タッチパネルにおいて修飾指示がタッチ入力により受け付けられると、前記記憶手段に記憶された一の文字を読み出し、当該一の文字と前記タッチ入力により受け付けられた修飾指示とに基づいて修飾文字を生成する
ことを特徴とする請求項１に記載の情報処理装置。
【請求項３】
前記タッチパネルディスプレイにおいて、
前記ホバー入力は、
前記タッチパネルのタッチ面から所定間隔あけたホバー入力空間に入力指示部分が位置した時のみ、受け付けられ、
前記ホバー入力空間より下方であって前記タッチパネルディスプレイのタッチ面より上方の間に位置する前記入力指示部分に対しては、受け付けられない
ことを特徴とする請求項１または２に記載の情報処理装置。
【請求項４】
前記タッチパネルディスプレイが、
前記ホバー入力空間より上方の空間であるホバー選択空間に、入力指示部分が位置することを検出すると、
複数の文字選択候補から一の文字を選択させるための選択画面を表示する
ことを特徴とする請求項１から３のいずれか一項に記載の情報処理装置。
【請求項５】
前記タッチパネルディスプレイは、
入力指示部分の平面座標上の位置に応じた選択画面を表示することを特徴とする請求項４に記載の情報処理装置。
【請求項６】
前記タッチパネルディスプレイが、
入力指示部分がホバー選択空間からホバー入力空間に移動したことを検出したとき、前記選択画面における当該移動した入力指示部分により選択された文字に対して選択された旨を示す表示処理を行うことを特徴とする請求項４または５に記載の情報処理装置。
【請求項７】
入力指示部分がタッチ面に直接接触されることによるタッチ入力、および入力指示部分が所定間隔をあけたホバー入力空間に位置させることによるホバー入力を受付可能に構成されているタッチパネルディスプレイを備える情報処理装置の文字入力方法において、
前記タッチパネルディスプレイが、前記タッチパネルにおいて、ホバー入力により一の文字を受け付ける文字受付ステップと、
前記タッチパネルディスプレイが、その後、タッチ入力により前記一の文字を修飾するための修飾指示を受け付ける修飾受付ステップと、
前記情報処理装置が、前記文字受付ステップおよび修飾受付ステップにより受け付けられた前記一の文字と前記修飾指示とに基づいた修飾文字を生成する文字生成ステップと、
前記タッチパネルディスプレイが、前記文字生成ステップにより生成された修飾文字を表示する表示ステップと、
を備える文字入力方法。
【発明の詳細な説明】
【技術分野】
【０００１】
本発明は、タッチパネルを利用して文字入力を行う情報処理装置および文字入力方法に関する。
【背景技術】
【０００２】
文字入力を行う方法として、ＱＷＥＲＴＹキーによる文字入力、テンキーによる入力、または音声入力等が考えられる。例えば、特許文献１に記載の技術においては、タッチパネルを利用して文字入力を行うことが記載されている。
【先行技術文献】
【特許文献】
【０００３】
【特許文献１】特開２０１１−２１５９３７号公報
【発明の概要】
【発明が解決しようとする課題】
【０００４】
この特許文献１に記載のタッチパネルを利用した文字入力方法では、例えば濁点などを文字に付す場合、そのタッチ操作を２回行う必要がある。例えば、“は”キーをタッチして入力文字として選択した後に、さらに濁点キーをタッチすることにより、“ば”を入力することができる。よって、タッチ操作を複数回行う必要が有り、手間がかかるものである。これは、半濁点や、句読点を付す場合についても同様である。
【０００５】
そこで、本発明においては、少ない操作で文字を修飾することができる情報処理装置および文字入力方法を提供することを目的とする。
【課題を解決するための手段】
【０００６】
上述の課題を解決するために、本発明の情報処理装置は、入力指示部分がタッチ面に直接接触されることによるタッチ入力、および入力指示部分がタッチ面から所定間隔をあけたホバー入力空間に位置させることによるホバー入力を受付可能に構成されているタッチパネルディスプレイと、前記タッチパネルディスプレイにおいて、ホバー入力により一の文字が受け付けられ、その後、タッチ入力により前記一の文字を修飾するための修飾指示が受け付けられることを検出すると、前記一の文字と前記修飾指示とに基づいた修飾文字を生成する文字生成手段と、を備え、前記タッチパネルディスプレイは、前記文字生成手段により生成された修飾文字を表示している。
【０００７】
また、本発明の文字入力方法は、入力指示部分がタッチ面に直接接触されることによるタッチ入力、および入力指示部分が所定間隔をあけたホバー入力空間に位置させることによるホバー入力を受付可能に構成されているタッチパネルディスプレイを備える情報処理装置の文字入力方法において、前記タッチパネルディスプレイが、前記タッチパネルにおいて、ホバー入力により一の文字を受け付ける文字受付ステップと、前記タッチパネルディスプレイが、その後、タッチ入力により前記一の文字を修飾するための修飾指示を受け付ける修飾受付ステップと、前記情報処理装置が、前記文字受付ステップおよび修飾受付ステップにより受け付けられた前記一の文字と前記修飾指示とに基づいた修飾文字を生成する文字生成ステップと、前記タッチパネルディスプレイが、前記文字生成ステップにより生成された修飾文字を表示する表示ステップと、を備えている。
【０００８】
この発明によれば、タッチパネルにおいて、ホバー入力により一の文字が受け付けられ、その後、タッチ入力により一の文字を修飾するための修飾指示が受け付けられると、一の文字と修飾指示とに基づいた修飾文字を生成し、タッチパネルディスプレイは、生成された修飾文字を表示する。これにより、タッチ操作を複数回行うことなく、文字に対する修飾処理を行うことができる。例えば、文字に濁点をつけたり、または小文字にしたり、さらには、句読点を一緒に振ることができる。
【０００９】
また、本発明の情報処理装置は、前記タッチパネルディスプレイにおけるホバー入力により受け付けられた一の文字を、一時的に記憶する記憶手段をさらに備え、前記文字生成手段は、前記タッチパネルにおいて修飾指示がタッチ入力により受け付けられると、前記記憶手段に記憶された一の文字を読み出し、当該一の文字と前記タッチ入力により受け付けられた修飾指示とに基づいて修飾文字を生成する。
【００１０】
この発明によれば、タッチパネルディスプレイにおけるホバー入力により受け付けられた一の文字を、一時的に記憶しておき、タッチパネルにおいて修飾指示がタッチ入力により受け付けられると、記憶された一の文字を読み出し、当該一の文字とタッチ入力により受け付けられた修飾指示とに基づいて修飾文字を生成する。これにより、タッチ操作を複数行うことなく、文字に対する修飾処理を行うことができる。
【００１１】
また、本発明の情報処理装置は、前記タッチパネルディスプレイにおいて、前記ホバー入力は、前記タッチパネルのタッチ面から所定間隔あけたホバー入力空間に入力指示部分が位置した時のみ、受け付けられ、前記ホバー入力空間より下方であって前記タッチパネルディスプレイのタッチ面より上方の間に位置する前記入力指示部分に対しては、受け付けられない。
【００１２】
この発明によれば、ホバー入力空間より下方であってタッチパネルディスプレイのタッチ面より上方の間に位置する入力指示部分に対しては、受け付けられない。すなわち、入力指示部分がホバー入力空間からタッチ面に対して移動しようとしたときに、他の文字を誤って選択することがないように、ホバー入力空間から下の部分に対しては検出しないようにする。これにより、誤操作を防止することができる。
【００１３】
また、本発明の情報処理装置は、前記タッチパネルディスプレイが、前記ホバー入力空間より上方の空間であるホバー選択空間に、入力指示部分が位置することを検出すると、複数の文字選択候補から一の文字を選択させるための選択画面を表示する。
【００１４】
この発明によれば、ホバー入力空間より上方の空間であるホバー選択空間に、入力指示部分が位置することを検出すると、複数の文字選択候補から一の文字を選択させるための選択画面を表示することができる。これにより、様々な文字の入力を可能にさせる。すなわち、例えば、“あ”段にある各文字を入力画面として表示させ、そこから任意の文字、すなわち選択された文字に結び付けられた文字をさらに選択させるための選択画面を表示させることができる。
【００１５】
また、本発明の情報処理装置において、前記タッチパネルディスプレイは、入力指示部分の平面座標上の位置に応じた選択画面を表示する。
【００１６】
この発明によれば、タッチパネルディスプレイにおける座標に応じたキー入力を可能にすることができる。
【００１７】
また、本発明の情報処理装置において、前記タッチパネルディスプレイが、入力指示部分がホバー選択空間からホバー入力空間に移動したことを検出したとき、前記選択画面における当該移動した入力指示部分により選択された文字に対して選択された旨を示す表示処理を行う。
【００１８】
この発明によれば、選択された旨を示す表示処理を行うことで、その旨をユーザに知らしめることができる。例えば、選択された文字を反転表示させることにより、どの文字が受け付けられたか簡易に知ることができる。
【発明の効果】
【００１９】
本発明によれば、タッチ操作を複数回行うことなく、文字に対する修飾処理を行うことができる。
【図面の簡単な説明】
【００２０】
【図１】本実施形態の携帯端末１００の外観図を示す。
【図２】携帯端末１００の機能構成を示すブロック図である。
【図３】ユーザの指ｕとタッチパネル１０９のタッチ面からの距離との位置関係を示す説明図である。
【図４】キー選択画面の遷移を示す説明図である。キー入力画面およびキー選択画面の画面遷移を示す説明図である。
【図５】本実施形態の携帯端末１００の処理を示すフローチャートである。
【図６】キー選択画面１１のバリエーションを示す説明図である。
【図７】アルファベットに適用した場合のキー入力画面１０ｘ、キー選択画面１１ｘおよび修飾指示キー１２ｘの説明図である。
【発明を実施するための形態】
【００２１】
添付図面を参照しながら本発明の実施形態を説明する。可能な場合には、同一の部分には同一の符号を付して、重複する説明を省略する。
【００２２】
図１は、本実施形態の情報処理装置である携帯端末１００の外観図を示す。図１に示される通り、この携帯端末１００は、タッチパネルディスプレイを備えている。このタッチパネルディスプレイは、近接センサを備えており、直接タッチ面をタッチすることを検出することができるほか、その近接センサを利用することにより、直接タッチすることなく、タッチ面から所定間隔空けた空間に位置するユーザの指を検出することができる。いわゆるホバーを検出することができる。なお、近接センサを利用することに限るものでなく、タッチパネルの感度を上げることにより同様に、ホバー状態の指を検出することができる。
【００２３】
図２は、この携帯端末１００の機能構成を示すブロック図である。図２に示される通り、この携帯端末１００は、ＣＰＵ１０１（文字生成手段）、ＲＡＭ１０２（記憶手段）、ＲＯＭ１０３、無線通信部１０４、表示制御部１０５、表示部１０６（タッチパネルディスプレイ）、タッチコントロールシステム１０７、ホバーコントロールシステム１０８、タッチパネル１０９（タッチパネルディスプレイ）、および表示データ格納部１１０を含んで構成されている。
【００２４】
ＣＰＵ１０１は、ＲＯＭ１０３に記憶されているプログラムに従って、携帯端末１００を統合制御するプロセッサ部であり、例えば、タッチパネル１０９によりタッチされた文字を受け付ける入力処理や、受け付けられた文字の変換処理等を行う。そのほか、アプリケーションの起動や実行、また無線通信部１０４を利用した無線通信の制御を行う。
【００２５】
ＲＡＭ１０２は、アプリケーションプログラムを実行するためのワークエリアを構成するメモリ部分である。
【００２６】
ＲＯＭ１０３は、携帯端末１００の基本動作を行うためのプログラムを記憶する部分である。
【００２７】
無線通信部１０４は、公衆移動体通信網やワイヤレスＬＡＮと通信接続する部分であり、例えば、本携帯端末１００においては、ＣＰＵ１０１による制御に従ったメールアプリケーションが、無線通信部１０４を用いて、ユーザにより入力されたメール等を送信し、また受信することができる。そのほか、Ｗｅｂブラウジングや通話にも用いられる。
【００２８】
表示制御部１０５は、表示部１０６に対する表示制御を行う部分である。表示制御部１０５は、ＣＰＵ１０１や、後述するタッチコントロールシステム１０７およびホバーコントロールシステム１０８による制御に従った表示制御を行う。本実施形態では、キー入力画面などに、ユーザの指の位置に基づいたキー選択画面などを重畳表示するための表示制御を行う。
【００２９】
表示部１０６は、表示制御部１０５により、各種情報を表示する部分である。例えば、文字入力のためのキー入力画面・キー選択画面などを表示する。そのほか、受信したメールや、Ｗｅｂページを表示する。
【００３０】
タッチコントロールシステム１０７は、ユーザの指やタッチペンなどの入力指示部分により、タッチパネル１０９の所定部分がタッチされたことや、その座標を検出して、その座標に応じた制御を行う部分である。例えば、タッチコントロールシステム１０７は、タッチパネル１０９においてタッチされた座標を検出して、それをＣＰＵ１０１に通知する。ＣＰＵ１０１は、その座標に応じたキー入力画面やキー選択画面を表示する処理やそれら入力画面に対する入力処理を実行する。
【００３１】
ホバーコントロールシステム１０８は、ユーザの指やタッチペンなどの入力指示部分がタッチパネル１０９のタッチ面から所定間隔空けたホバー入力空間（ホバー位置）に位置しているか否かを判断して、その空間に応じた制御を行う部分である。さらに詳しくは、このホバーコントロールシステム１０８は、タッチパネル１０９のタッチ面から上方に所定間隔空けて離れているユーザの指（またはタッチペン等）の位置と、その位置にあるユーザの指をその位置からタッチ面に垂直に下した場合におけるタッチパネル１０９の平面座標とに基づいた制御を行う。すなわち、ユーザの指はどれぐらいタッチ面から離れ、そして、そのときのタッチ面に対してどの座標にいるかを検出し、その旨をＣＰＵ１０１に通知する制御を行う。ＣＰＵ１０１は、その位置に基づいたキー選択画面の表示制御を行うことができる。このホバーコントロールシステム１０８およびＣＰＵ１０１に基づいた詳細な処理については後述する。
【００３２】
タッチパネル１０９は、ユーザの指やタッチペンなどの入力指示部分によりタッチ面に対してタッチされたか否かを判断する部分である。本実施形態においては、タッチパネル１０９と表示部１０６とからタッチパネルディスプレイを構成する。
【００３３】
表示データ格納部１１０は、表示部１０６に表示させるための表示データを格納する部分である。本実施形態では、この表示データとして、キー入力画面を格納しており、例えば、ＱＷＥＲＴＹキー入力画面や、テンキー入力画面、また、“あかさたな”に基づいたキー入力画面などである。また、“あいういえお”といった“あ”行の平仮名などの文字を選択させるためのキー選択画面などは、ホバー位置（ＸＹＺ座標）や、タッチ位置（ＸＹ座標）に対応付けて格納している。
【００３４】
つぎに、このように構成された携帯端末１００における、タッチコントロールシステム１０７およびホバーコントロールシステム１０８、並びにＣＰＵ１０１による制御に従ったキー選択画面の切り替えについて説明する。
【００３５】
図３は、ユーザの指ｕとタッチパネル１０９のタッチ面からの距離との位置関係を示す説明図である。また、図４は、ユーザの指ｕのタッチ面からの位置と、その位置から指ｕを垂直に下した場合におけるタッチ面の平面座標との関係に応じたキー選択画面の遷移を示す説明図である。
【００３６】
図３では、ユーザの指ｕは、タッチ面ｚ４から所定距離にある基準面ｚ１から基準面ｚ２、ｚ３を経てタッチ面ｚ４に対して移動する様子を示している。なお、図３において、基準面ｚ１と基準面ｚ２より上との間をホバー選択空間とし、その間に指が検出されている場合には、平仮名の選択画面であるキー選択画面１１が表示される。また、基準面ｚ２と基準面ｚ３より上との間をホバー入力空間として、その間に指が検出されている場合には、そのときの座標に応じて、キー選択画面１１において選択可能に表示されている平仮名に対する入力が行われる。
【００３７】
ホバーコントロールシステム１０８は、指ｕが基準面ｚ１に位置しているときのタッチパネル１０９の平面座標を検出し、これをＣＰＵ１０１に通知する。ＣＰＵ１０１は、その基準面ｚ１における座標に応じたキー選択画面を、表示データ格納部１１０から読み出し、表示制御部１０５に対して表示部１０６にそのキー選択画面を表示させるよう指示する。
【００３８】
まず、その前提として、図４（ａ）に示される通り、“あかさたなはまやらわ”といった五十音のうち“あ”段の文字列からなるキー入力画面１０が表示される。すなわち、いずれかの子音をも含んだ平仮名を選択可能にする、いわゆるキー入力画面１０が表示されている。
【００３９】
そして、指ｕが基準面ｚ１に移動した場合、その移動したときの平面座標に応じたキー選択画面１１が表示される。図４（ｂ）では、そのキー入力画面１０を示し、ここでは“か”行の平仮名を選択可能な状態にしたキー選択画面１１が重畳表示される。なお、ここでは、さらに各平仮名を修飾可能にする修飾指示キー１２も合わせて表示される。ここでは、修飾指示として濁点付加キー１２ａのほか、文章の区切りを示す句点付加キー１２ｂ、読点付加キー１２ｃが挙げられている。さらに、同じ平仮名を連続して入力するための連続入力キー１２ｄも含んでいる。なお、“は”行の場合には、さらに半濁点を付加するためのキーや、また“や”行の場合には、拗音にするため、すなわち、平仮名を小文字にするためのキーを含めることができる。促音（小さい“っ”）についても同様である。
【００４０】
そして、指ｕが基準面ｚ２に移動した場合、その移動先における平面座標に応じた平仮名が選択される。図４（ｃ）では、そのキー入力画面１０およびキー選択画面１１を示し、ここでは“く”が選択され、その選択したことが分かるように“く”キーが反転表示されている。
【００４１】
その後、指ｕは、基準面ｚ３を経てタッチ面ｚ４に移動する。その移動経緯において、指ｕが基準面ｚ３を通過したとしても、ホバーコントロールシステム１０８は何も検出処理は行わない。すなわち、指ｕの移動に際して、ユーザが選択する意図のなかった文字を選択しないように、基準面ｚ２から、基準面ｚ３を経てタッチ面ｚ４へ移動する間、ユーザの指ｕが検出されたとして、何も処理しないように構成されている。この空間は、いわゆる非選択空間としての役割を有する。
【００４２】
そして、指ｕがタッチ面ｚ４に移動した場合、すなわちタッチパネル１０９に指ｕがタッチした場合には、選択された平仮名が確定される。なお、最終的にタッチしたタッチ面における平面座標によって、確定される平仮名が異なる。例えば、修飾指示キー１２のいずれかに対してタッチされた場合には、選択した平仮名に対して、修飾処理がなされる。図４（ｄ）では、“く”が選択された後に、修飾指示キー１２の一つである濁点付加キー１２ａがタッチされたため、濁点が付加された“ぐ”が入力文字として確定される。
【００４３】
このようにして、タッチコントロールシステム１０７およびホバーコントロールシステム１０８による検出制御に基づいたキー入力制御を行うことができる。なお、本実施形態において、「修飾文字」には、濁点などが付与された文字のほか、後ろに句読点が付与された文字を含んだものである。また、「修飾する」には、句読点等を付与することを含む。
【００４４】
つぎに、この携帯端末１００の処理について説明する。図５は、本実施形態の携帯端末１００の処理を示すフローチャートである。まず、ユーザによりタッチパネル１０９における文字入力欄がタップされると（Ｓ１０１）、タッチパネルコントロールシステム１０７によりそのタッチ座標が検出され、ＣＰＵ１０１に通知される。そして、ＣＰＵ１０１による制御に従って、表示データ格納部１１０からキー入力画面１０が読み出され、キー入力画面１０が表示部１０６に表示される（Ｓ１０２、図４（ａ）参照）。
【００４５】
つぎに、ユーザの指ｕが移動して、基準面ｚ１に位置していることが、ホバーコントロールシステム１０８により検知され、その位置におけるタッチパネル１０９の平面座標（ＸＹ座標）が、ホバーコントロールシステム１０８により検知される（Ｓ１０３）。そして、ホバーコントロールシステム１０８により検知された位置および座標が、ＣＰＵ１０１に通知される。ＣＰＵ１０１においては、通知された位置および平面座標に従ったキー選択画面１１を表示データ格納部１１０から読み出し、それを表示制御部１０５に対して表示指示を行う。表示部１０６はその制御に従ってキー選択画面１１を表示する（Ｓ１０４、図４（ｂ）参照）。
【００４６】
ここで、ユーザの指ｕが、基準面ｚ１から上方に移動するなどして、すなわち、ユーザの指ｕがホバーコントロールシステム１０８により検知できなくなると（Ｓ１０５：ＮＯ）、Ｓ１０２に戻り、再度キー入力画面１０が表示される。
【００４７】
一方、ユーザの指ｕが検知され続け（Ｓ１０５：ＮＯ）、その指ｕが基準面ｚ１から基準面ｚ２に移動することが、ホバーコントロールシステム１０８により検知され、そして、その平面座標が検知されると（Ｓ１０６）、その位置および座標がＣＰＵ１０１に通知され、ＣＰＵ１０１による制御に従って、その空間位置に応じた文字が入力候補として選択される。そして、ＣＰＵ１０１の制御に従って、その文字は、一時的に文字入力処理に際してのワークエリア（ＲＡＭ１０２）に記憶されるとともに（Ｓ１０７）、キー選択画面１１で表示されている平仮名のうち選択された平仮名は、その表示部１０６にて反転表示される（Ｓ１０８、図４（ｃ）参照）。
【００４８】
さらに、タッチコントロールシステム１０７により、ユーザの指ｕがタッチ面ｚ４に移動する、すなわちタッチ面にタッチされたか、否かが判断される（Ｓ１０９）。ここでは、タッチされるか、または指が離れるまで（検出範囲からいなくなるまで）、その判断が行われる。
【００４９】
そして、タッチコントロールシステム１０７により、指ｕがタッチ面にタッチされたと判断されると、さらに、そのタッチされたキーの種別が判断される。すなわち、濁点付加キー、半濁点付加キー、句点付加キー、読点付加キー、小付加キー、また連続入力キーなどの修飾指示キー１２のいずれかであるかが判断される。つまり、そのタッチされた座標がタッチコントロールシステム１０７により検出され、その検出された座標に基づいてＣＰＵ１０１により、修飾指示キー１２のいずれかが選択されたかが判断される（Ｓ１１０、図４（ｄ）参照）。
【００５０】
ここで、タッチコントロールシステム１０７およびＣＰＵ１０１により、タッチされたキー種別が濁点等の修飾指示キー１２であると判断されると、ＣＰＵ１０１により、一時的に記憶された平仮名と組み合わせた文字が生成される（Ｓ１１１）。一方、ＣＰＵ１０１により、それ以外の平仮名の部分にタッチされたと判断される場合には、一時的にワークエリアに記憶された平仮名が使われることなく、タッチされた平仮名が入力文字として選択され、確定される（Ｓ１１２）。
【００５１】
そして、一時的に記憶された平仮名はワークエリアから削除され（Ｓ１１３）、表示部１０６における文字入力欄に、確定された平仮名が表示される（Ｓ１１４）。
【００５２】
このようにして、タッチコントロールシステム１０７およびホバーコントロールシステム１０８により、ユーザの指ｕのタッチ面に対する垂直方向の位置と、タッチ面の平面座標とに基づいて、キー選択画面１１を切り替えて表示することで、簡単な操作でキー入力を行うことができる。
【００５３】
つぎに、五十音における各行のキー選択画面１１のバリエーションについて説明する。図６は、キー選択画面１１のバリエーションを示す説明図である。図６（ａ）は、“あ”行に対するキー選択画面１１を示す。図に示される通り、修飾指示キー１２として、小文字変換キー、濁点付加キー、読点付加キーおよび連続入力キーが示されている。図６（ｂ）および図６（ｃ）は、それぞれ“か”行および“さ”行に対するキー選択画面１１を示す。図に示される通り、修飾指示キー１２として、濁点付加キー、句点付加キー、読点付加キーおよび連続入力キーが示されている。
【００５４】
図６（ｄ）は、“た”行に対するキー選択画面１１を示す。図に示される通り、修飾指示キー１２として、小文字変換キー、濁点付加キー、句点付加キー、読点付加キーおよび連続入力キーが示されている。
【００５５】
図６（ｅ）は、“な”行に対するキー選択画面１１を示す。ここでは、修飾指示キー１２として、句読点付加キーおよび連続入力付加キーが示されている。図６（ｆ）は、“は”行に対するキー選択画面１１を示す。ここでは、修飾指示キー１２として、半濁点付加キー、濁点付加キー、句点付加キー、読点付加キーおよび連続入力キーが示されている。
【００５６】
図６（ｇ）は、“ま”行に対するキー選択画面１１を示す。図６（ｅ）と同様に、句読点付加キーおよび連続入力キーが修飾指示キー１２として示されている。図６（ｈ）は、“や”行に対するキー選択画面１１を示す。図６（ａ）と同様に、小文字変換キー、句点付加キー、読点付加キーおよび連続入力キーが修飾指示キー１２として示されている。
【００５７】
図６（ｉ）および図６（ｊ）は、“ら”行および“わ”行に対するキー選択画面１１を示す。図６（ｅ）と同様に、句読点付加キーおよび連続入力キーが修飾指示キー１２として示されている。
【００５８】
図６（ｋ）は、図６（ａ）から図６（ｊ）で用いられている修飾指示キー１２のそれぞれの説明であり、“小”は、小文字変換をさせるものであり、ほか、濁点付加キー、半濁点付加キー、読点付加キー、および句点付付加キーは、それぞれ濁点、半濁点、読点、および句点付を選択された文字に付加することを示している。連続入力は、その文字が意味する通り、このキーをタップすることにより、選択された文字が入力されることになる。なお、例示はしていないが、これら修飾指示に限定するものではなく、下線を引いたり、文字の色を変えたり、文字を斜体に表記したりするための指示を含んでもよい。
【００５９】
上述のキー入力画面１０やキー選択画面１１は、平仮名に適用した場合の例である。カタカナの場合にも、それぞれカタカナに置き換えたキー入力画面、キー選択画面を適用することができる。
さらに、アルファベットにも適用可能である。アルファベットの場合には、平仮名、カタカナのような母音、子音の関係ないため、例えば、ａ〜ｃ、ｄ〜ｆなど、所定文字ごとのグループを作成して、それぞれのキーに割り当てることもできる。修飾指示キーとしては、大文字、小文字、そのほかピリオド、カンマなどが考えられる。図７にその一例を示す。
【００６０】
図７は、アルファベットに適用した場合のキー入力画面１０ｘ、キー選択画面１１ｘおよび修飾指示キー１２ｘの説明図である。図７（ａ）は、キー入力画面１０ｘを示している。キーの一つ一つには、母音・子音関係なく、ＡからＣ、ＤからＦなどで、各キーがグループ分けされている。ここで、ＡＢＣのグループからなるキーをタップすると、図７（ｂ）に示されるキー選択画面１１ｘおよび修飾指示キー１２ｘが表示される。上述したように、キー選択画面１１ｘのうちのいずれかにおいては、ホバーコントロールシステム１０８により検出処理がなされ、その後、修飾指示キー１２ｘのいずれかがタッチ面に対してタップされると、その修飾指示キー１２ｘに従った修飾処理がなされる。
【００６１】
つぎに、本実施形態の携帯端末１００の作用効果について説明する。本実施形態の携帯端末１００によれば、タッチパネルディスプレイを構成するタッチパネル１０９において、ホバー入力により一の文字が受け付けられ、その後、タッチ入力により一の文字を修飾するための修飾指示が受け付けられることを、タッチコントロールシステム１０７およびホバーコントロールシステム１０８が検出してこれをＣＰＵ１０１に通知し、ＣＰＵ１０１は、その通知に従って、一の文字と修飾指示とに基づいた修飾文字を生成し、タッチパネルディスプレイを構成する表示部１０６は、生成された修飾文字を表示する。これにより、タッチ操作を複数回行うことなく、文字に対する修飾処理を行うことができる。例えば、文字に濁点をつけたり、または小文字にしたり、さらには、句読点を一緒に振ることができる。なお、ここでの修飾文字には、濁点を付与された文字などのほか、その後ろに句読点が付与された文字を含んだものである。また、修飾するには、句読点等を付与することを含む。
【００６２】
また、本実施形態の携帯端末１００によれば、タッチパネルディスプレイ（タッチパネル１０９）におけるホバー入力により受け付けられた一の文字を、ＣＰＵ１０１は、そのワークエリアに一時的に記憶しておく。そして、タッチパネル１０９において修飾指示がタッチ入力により受け付けられると、ＣＰＵ１０１は、記憶された一の文字を読み出し、当該一の文字とタッチ入力により受け付けられた修飾指示とに基づいて修飾文字を生成する。これにより、タッチ操作を複数行うことなく、文字に対する修飾処理を行うことができる。
【００６３】
また、本実施形態の携帯端末１００によれば、ホバー入力空間（基準面ｚ２から基準面ｚ３の間の空間）より下方であってタッチパネル１０９（タッチパネルディスプレイ）のタッチ面（タッチ面ｚ４）より上方の間に位置するユーザの指ｕ等（入力指示部分）に対しては、ホバーコントロールシステム１０８は、その位置の検出を受け付けない。すなわち、入力指示部分であるユーザの指ｕがホバー入力空間からタッチ面に対して移動しようとしたときに、他の文字を誤って選択することがないように、ホバー入力空間から下の部分に対しては検出しないようにする。これにより、誤操作を防止することができる。
【００６４】
また、本実施形態の携帯端末１００によれば、タッチパネル１０９が、ホバー入力空間より上方の空間であるホバー選択空間（基準面ｚ１から基準面ｚ２の間の空間）に、入力指示部分が位置することを検出すると、ＣＰＵ１０１による制御に従って表示部１０６は複数の文字選択候補から一の文字を選択させるための選択画面を表示することができる。これにより、様々な文字の入力を可能にさせる。すなわち、例えば、“あ”段にある各文字を入力画面として表示させ、そこから任意の文字、すなわち選択された文字に結び付けられた文字をさらに選択させるための選択画面を表示させることができる。
【００６５】
また、本実施形態の携帯端末１００によれば、ユーザの指ｕの平面座標上の位置に応じたキー選択画面を表示することで、タッチパネル１０９における座標に応じたキー入力を可能にすることができる。
【符号の説明】
【００６６】
１０…キー入力画面、１０ｘ…キー入力画面、１１…キー選択画面、１１ｘ…キー選択画面、１２…修飾指示キー、１２ａ…濁点付加キー、１２ｂ…句点付加キー、１２ｃ…読点付加キー、１２ｄ…連続入力キー、１２ｘ…修飾指示キー、１００…携帯端末、１０４…無線通信部、１０５…表示制御部、１０６…表示部、１０７…タッチコントロールシステム、１０８…ホバーコントロールシステム、１０９…タッチパネル、１１０…表示データ格納部。
【図１】
2014191782.tif 000003
【図２】
2014191782.tif 000004
【図３】
2014191782.tif 000005
【図４】
2014191782.tif 000006
【図５】
2014191782.tif 000007
【図６】
2014191782.tif 000008
【図７】
2014191782.tif 000009